(57)【特許請求の範囲】
【請求項１】
部品の位置を切り替えて二つ以上の変速モードに切替可能な変速機構の前記変速モード切替操作用の切替操作装置であって、
所定の操作方向に沿って二つの位置の間を往復移動する本体部材と、前記二つの位置の各々で前記本体部材を弾性的に位置決めするクリックばねと、前記部品の移動を行う切替ばねとを備え、
前記切替ばねを保持する保持部を、操作方向に交差した向きにおいて、前記本体部材の前記クリックばねを取り付ける取付位置の一部に重ねて設け、
前記保持部は、操作方向に交差した前記向きにおいて、前記本体部材と前記クリックばねとの間に前記切替ばねを位置した状態で保持するものであることを特徴とする切替操作装置。
【発明の詳細な説明】
【技術分野】
【０００１】
本発明は、二つ以上の変速モードを備えた変速機構部の変速モード切替用の切替操作装置に関する。
【背景技術】
【０００２】
従来からインパクト工具やドリル工具等の電動工具用の変速機構として、特許文献１に示すように、滑動輪を移動させて位置を切り換えることで出力する回転速度を三段階に切替可能な三段変速機構がある。この三段変速機構では、前端極限位置と後端極限位置と両極限位置の間とに移動する押しボタンを備える。そして、この押しボタンの移動は、嵌め輪を介して滑動輪に伝達されており、滑動輪は押しボタンの移動に伴って位置が切り替わり、三段変速機構から出力する回転速度が三段階に変更される。そのため、押しボタンは回転速度を切り替えるための操作部材となっている。そして、押しボタンにはフランジが一体に設けてあり、このフランジは、押しボタンの操作時に、外殻を形成するケースの上記三つの位置に対応して各々設けた凹部のいずれかに嵌入して、押しボタンを上記位置に位置決め保持する。
【先行技術文献】
【特許文献】
【０００３】
【特許文献１】実用新案登録第３０９５４０７号公報
【発明の概要】
【発明が解決しようとする課題】
【０００４】
また、図３に示す電動工具では、変速機構の切替操作用の操作部材として、スライド移動自在のハンドル４０が設けてあり、ハンドル４０は二つの位置を往復移動する。このハンドル４０にはハンドル４０の移動時の位置決め用として、クリック突起４３が設けてあり、ハウジング１の移動をガイドする両側面にはクリック突起４３に係止自在な突部又は凹部（図示せず）が、ハンドル４０の移動先の位置に夫々設けてある。クリック突起４３は、スライド移動時に上記突部等に係止されることで、所定の移動先の位置に位置決め保持される。
【０００５】
更に、ハンドル４０は電動工具の内部側を向く面（内面）に、弾性を有したクリックばね４１と、変速切替用の部品を移動させる変速ばね４２とが取り付けてある。変速ばね４２はハンドル４０の移動に伴って、変速機構部の変速用の部品を移動させて、変速機構部の動作モードを切り替える（変速させる）。また、クリックばね４１は、クリック突起４３をハウジング１の突部等に対して弾性的に係止させるよう、クリック突起４３をハウジング１の上記ガイド用の側面に向けて押圧して、ハンドル４０にクリック性を付与している。そのため、この電動工具は、特許文献１のものに比べて切替操作を行い易く、また操作の繰り返しによるクリック突起４３（フランジ）の摩耗等の、ハンドル４０の消耗が抑制されている。
【０００６】
ところで、図３等の従来の構成では、変速ばね４２及びクリックばね４１が各々、ハンドル４０の内面のスライド方向（操作方向Ｘ）において所定の距離離れた位置に取り付けてある。そのため、図３等の従来の構成では、ハンドル４０の操作方向Ｘにおける寸法を短い構成（コンパクトな構成）にし難いものである。
【０００７】
本発明では、本体部材の操作方向における寸法の増長を抑えて、コンパクトな構成にし易くした切替操作装置を提供することを課題とする。
【課題を解決するための手段】
【０００８】
前記課題を解決するために本発明は、部品の位置を切り替えて二つ以上の変速モードに切替可能な変速機構の前記変速モード切替操作用の切替操作装置であって、所定の操作方向に沿って二つの位置の間を往復移動する本体部材と、前記二つの位置の各々で前記本体部材を弾性的に位置決めするクリックばねと、前記部品の移動を行う切替ばねとを備え、前記切替ばねを保持する保持部を、操作方向に交差した向きにおいて、前記本体部材の前記クリックばねを取り付ける取付位置の一部に重ねて設け、前記保持部は、操作方向に交差した前記向きにおいて、前記本体部材と前記クリックばねとの間に前記切替ばねを位置した状態で保持するものであることを特徴とする。
【発明の効果】
【００１０】
本発明は、コンパクトな構成にし易くすることができるという効果を奏する。
【図面の簡単な説明】
【００１１】
【図１】実施形態１の電動工具の外殻の一部を透過した駆動部周辺の側面図である。
【図２】切替操作装置の第１操作部であって、（ａ）は斜視図であり、（ｂ）は側面図である。
【図３】従来の電動工具であって、（ａ）は外殻の一部を透過した駆動部周辺の側面図であり、（ｂ）はハンドルの斜視図であり、（ｃ）はハンドルの側面図である。
【発明を実施するための形態】
【００１２】
本発明を、添付図面に示す実施形態に基づいて説明する。
【００１３】
図１には、実施形態１の電動工具を示してある。この電動工具は、回転動力を出力する駆動部と、使用者が把持するための把持部（図示せず）と、駆動部に給電する給電部（図示せず）とを備える。そして、この駆動部は、駆動源であるモータ２と、変速機構部３と、出力部４とを備え、モータ２の回転動力は変速機構部３を介して出力部４に伝達され、出力部４から出力される。
【００１４】
また、電動工具はハウジング１と出力部４とで外殻を形成されており、モータ２及び変速機構部３はハウジング１に収納される。そして、ハウジング１は変速機構部３の外面を覆う部位に開口１ａを有しており、この開口１ａに一部を露出して切替操作装置５（詳細は後述する）が設けてある。
【００１５】
変速機構部３は二つの位置を往復動可能な部品（図示せず）を二つ備え、この二つの部品各々の往復動する二つ位置を組み合わせることで、三つの変速モードに切替自在となっており、この部品が変速モード切替用の部品となっている。例えば、この変速モードとして、回転動力を低速高トルクで出力する低速モードと、低速モードに比べて高速低トルクで出力する高速モードと、高速モード及び低速モードの間の速度及びトルクで出力する中速モードとに切替自在となっている。更に、この部品の位置は、切替操作装置５によって切替操作可能となっており、切替操作装置５は変速機構部３の変速モードの切替操作用となっている。
【００１６】
切替操作装置５は、変速用の部品のうちの一方を移動させるための第１操作部５ａと、残りの一方を移動させるための第２操作部５ｂとを有する。そして、第１操作部５ａは、図２に示すように、本体部材１０と、クリックばね１３と、切替ばね１５とを備える。
【００１７】
本体部材１０は板状で、図１に示すように、モータ２の軸方向にスライド自在でハウジング１に取り付けてあり、この方向に沿って二つの位置の間を往復移動する。そして、本体部材１０は、一方の板面（外面１０ａ）が開口１ａを介して外部に露出しており、反対側の板面（内面１０ｂ）が変速機構部３側を向く。以下、このスライドする方向を操作方向Ｘとし、本体部材１０がスライド時に停止する上記二つの位置を切替位置とする。
【００１８】
また、本体部材１０は外面１０ａに、操作時に指を掛けるための操作片１１が突出して設けてあり、本体部材１０は操作片１１を介してスライド操作可能となっている。そして、本体部材１０は、図２に示すように、板の板面の操作方向Ｘに直交した端部に位置する二つの面（側面１０ｃ）に、各々クリック突起１２が設けてある。
【００１９】
クリック突起１２は側面１０ｃから略直交して本体部材１０から突出して形成されており、スライド時に、ハウジング１の切替位置毎に設けた凹部（図示せず）に嵌まり込み、本体部材１０を切替位置に位置決めする。以下、板面に対して側面１０ｃが位置し且つ操作方向Ｘに直交した向きを幅方向Ｙとし、操作方向Ｘ及び幅方向Ｙに直交する向き（板面に直交する向き）を厚さ方向Ｚとする。
【００２０】
本体部材１０は内面１０ｂに、クリックばね１３を保持する第１保持部１４と、切替ばね１５を保持する第２保持部１６とが設けてあり、クリックばね１３は第１保持部１４を介して、切替ばね１５は第２保持部１６を介して、本体部材１０に取り付けてある。
【００２１】
クリックばね１３は、Ｕ字状に屈曲させた線状のばねで主体が構成されており、平面視Ｕ字で対向する二辺にくびれ１３ｂを有した形状（所謂π字形状）となっている。そして、クリックばね１３はＵ字の端部１３ａが側面１０ｃ内部に嵌まり込んでおり、クリック突起１２を側面１０ｃの内側から外側に向けて押圧している。そのため、クリック突起１２は、クリックばね１３の付勢によって、凹部に弾性的に嵌り合い、且つ切替位置の切替時にクリック性が付与される。
【００２２】
第１保持部１４は、クリックばね１３の形状に沿った平面視Ｈ字形状で、外面１０ａ側に凹んで本体部材１０の内面１０ｂに形成してあり、このＨ字形状の凹み内にクリップばね１３が配置してある。そして、第１保持部１４は、Ｈ字の対向する二辺の間である突出部１４ａにくびれ１３ｂを当接することで、クリップばね１３を側面１０ｃ側から幅方向Ｙ及び操作方向Ｘに位置決め（抜け止め）保持する。
【００２３】
更に、第１保持部１４は、側面１０ｃのクリック突起１２を設けた部位のクリック突起１２の裏側に凹みを有しており、この凹みにＵ字の端部１３ａが嵌まり込んでいる。そのため、クリック突起１２はクリックばね１３によって側面１０ｃの裏側から弾性的に押圧される。
【００２４】
また、突出部１４ａには、Ｕ字の二辺を連結した底辺１３ｃを内面１０ｂ側（変速機構部３側）から保持する保持片１４ｂが設けてある。そのため、クリックばね１３は、保持片１４ｂ、及び側面１０ｃのクリック突起１２の裏側に設けた凹みによって、厚さ方向Ｚにおいて本体部材１０から抜け止め保持される。
【００２５】
切替ばね１５は変速用の部品の移動及び与圧を行っており、操作方向Ｘに視て円弧状となっており、円弧の径内方向側に変速機構部３が位置する。そして、切替ばね１５は円弧の端部１５ａ（図１では図示せず）が変速用の部品に取り付けてあり、本体部材１０が切替位置にスライド移動することで、変速用の部品を移動させる。なお、上記与圧とは、上記部品を移動後の所定位置に弾性的に保持して所定位置からずれ難くしたり、移動時に移動先の所定位置に向けて弾性的に付勢して所定位置に移動し易くしたり等と、操作方向Ｘにおいて変速用の部品に圧力を付与することを指す。
【００２６】
第２保持部１６は両突出部１４ａ及び幅方向Ｙにおける突出部１４ａの間に設けてある。そして、第２保持部１６は操作方向Ｘに視て円弧状で、径外方向（本体部材１０の外面１０ａ側）に向けて凹んでおり、この凹み１６ａ内に切替ばね１５が取り付けてあり、切替ばね１５は円弧の円周方向及び操作方向Ｘに位置決め保持される。
【００２７】
また、第２保持部１６はくびれ１３ｂの位置する部位に各々切欠き１６ｂを有しており、この切欠き１６ｂ内にクリックばね１３のくびれ１３ｂが位置し、且つこの切欠き１６ｂの位置において凹み１６ａが第１保持部１４より外面１０ａ側に設けてある。そして、切替ばね１５は切欠き１６ｂに位置する部位が、径外方向に屈曲形成した凸部となっている。そのため、切替ばね１５は、切欠き１６ｂの位置において、第１保持部より外面１０ａ側で第２保持部１６（凹み１６ａ）に保持されており、本体部材１０とクリックばね１３のくびれ１３ｂとの間に取り付けられる。
【００２８】
言い換えると、切替ばね１５を取り付ける取付位置である第２保持部１６は一部が、クリックばね１３を取り付ける取付位置である第１保持部１４の一部に重なって位置する。そして、第２保持部１６は、厚さ方向Ｚにおいて、切替ばね１５を本体部材１０とクリックばね１３との間に位置した状態で保持する。
【００２９】
このように、第２保持部１６と第１保持部１４とを一部重ねて配置したことで、第２保持部１６を第１保持部１４から操作方向Ｘに離して設けたものに比べて、本体部材１０の操作方向Ｘにおける寸法（長さ寸法）の増長を抑え易くすることができる。そして、この長さ寸法の増長を抑え易くしたことで、操作方向Ｘにおいて、本体部材１０（第１操作部５ａ）をコンパクトな構成にし易くすることができる。
【００３０】
更に、厚さ方向Ｚにおいて、第２保持部１６が本体部材１０とクリックばね１３との間に切替ばね１５を位置した状態で保持するため、第２保持部１６による厚さ方向Ｚにおける寸法（厚さ）の増大を抑え易くすることができる。そのため、操作方向Ｘに加えて、厚さ方向Ｚにおいても、第１操作部５ａをコンパクトな構成にし易くすることができる。
【００３１】
そして、厚さ方向Ｚにおいて、切替ばね１５を本体部材１０とクリックばね１３との間に保持したことで、クリックばね１３で切替ばね１５を抜け止めすることができ、切替ばね１５を厚さ方向Ｚにおいて抜け止めする爪等の係止部を、第２保持部１６の構成から省くことができる。そのため、係止部形成に伴う形状や設置位置の制限等による第２保持部１６の大型化や構成の複雑化を抑制し易くすることができ、第１操作部５ａをコンパクトな構成にし易くすることができる。
【００３２】
また、第２操作部５ｂは、図１に示すように、第２本体部材２０、第２クリックばね２３、第２切替ばね２５、第２クリックばね２３用の第３保持部（図示せず）、第２切替ばね２５用の第４保持部（図示せず）を備える。
【００３３】
第２本体部材２０はスライド自在でハウジング１に取り付けてあり、操作方向Ｘに沿って二つの切替位置の間を往復移動する。そして、第２本体部材２０は内面に第３保持部が設けてあり、第３保持部を介して第２クリックばね２３が取り付けてある。以下、第１操作部５ａの本体部材１０を、第１本体部材１０と記載し、第１操作部５ａと第２操作部５ｂとを特に区別しない場合、単に、本体部材１０，２０と記載する。
【００３４】
更に、本実施形態において、第１操作部５ａと第２操作部５ｂとは、操作方向Ｘにおいてスライド範囲が重なっている。そして、二つの本体部材１０，２０のうち、一方が他方（残りの一方）のスライド範囲内に位置した近接状態では、上記スライド範囲内に位置した方が操作可能で、残りの一方が操作不可能となる。また、二つの本体部材１０，２０が互いに離間した離間状態では、いずれか一方を選択的に操作可能となっており、選択的に一方を操作することで、上記近接状態に切り替わる。
【００３５】
そのため、本体部材１０，２０は一つの離間状態と、この離間状態から一方が他方に向けてスライドして近接させた二つの近接状態との三つの状態に切替自在となっている。そして、変速機構部３は三つの変速モードが、上記三つの状態のうちのいずれか一つに各々対応している。
【００３６】
また、第１操作部５ａ及び第２操作部５ｂは、本体部材１０，２０の互いに対向する端部に、他方の（対向する相手の）本体部材２０，１０に向かって延長して設けたオーバーラップ部３０を各々有する。以下、第１操作部５ａと第２操作部５ｂとで区別する場合、第１操作部５ａ側のオーバーラップ部３０を、第１オーバーラップ部３１とし、第２操作部５ｂ側のオーバーラップ部３０を、第２オーバーラップ部３２とする。
【００３７】
オーバーラップ部３０は、本体部材１０，２０を近接させた近接状態で、第１オーバーラップ部３１の内側に第２オーバーラップ部３２が位置して、第２オーバーラップ部３２の外面の略全体が第１オーバーラップ部３１に覆われる。そして、本体部材１０，２０を離間させた離間状態では、第２オーバーラップ部３２の外面のうち、先端側の一部が第１オーバーラップ部３１に覆われて、残りの外面が露出する。
【００３８】
そのため、厚さ方向Ｚにおいて第１オーバーラップ部３１より内側に位置する第２オーバーラップ部３２には第４保持部を設けることができるが、第１オーバーラップ部３１には第２保持部１６を設けることができない構成になっている。
【００３９】
そして、本実施形態において、第２操作部５ｂは、第２オーバーラップ部３２に第４保持部が設けてあり、第２切替ばね２５は第２オーバーラップ部３２を介して第２本体部材２０に取り付けてある。そのため、第２操作部５ｂは、第２本体部材２０に第４保持部設置用のスペースを確保せずに済み、第２本体部材２０の長さ寸法を小さく抑え易くなっている。更に、本実施形態の電動工具は、第１操作部５ａ及び第２操作部５ｂのスライド範囲を重ね且つオーバーラップ部３０を設けたことで、開口１ａの長さ寸法を小さく抑え易くなっている。
【００４０】
なお、本発明は実施形態１の構成のみに限定されるものではなく、本発明の意図する範囲内であれば、実施形態１において適宜の設計変更を行うことが可能である。例えば、クリックばね１３が、対向する二辺を繋ぐ辺をくびれ１３ｂとしたＨ字形状であってもよい。また、例えば、変速機構部３が二つの変速モードに切替自在で、切替操作装置５が第２操作部５ｂを備えず第１操作部５ａのみを備えたものであってもよい。
【００４１】
また、電動工具は、打撃動作を介して出力を伝達するインパクト機構を変速機構部３の一部に有したインパクト工具であってもよい。この工具の場合、切替操作装置５は、例えば、第１操作部５ａを操作することで、インパクト機構での打撃動作を可能としたインパクトモードと、打撃動作を不能としたドリルドライバーモードとに、変速機構部３を切り替える。そして、このドリルドライバーモードにおいて、第２操作部５ｂが操作可能となり、第２操作部５ｂを操作することで、低速高トルクの低速モードと、高速低トルクの高速モードとに変速機構部３を切り替える構成となる。
【符号の説明】
【００４２】
３  変速機構部
５  切替操作装置
１０  本体部材（第１本体部材）
１３  クリックばね
１４  第１保持部
１５  切替ばね
１６  第２保持部
Ｙ  幅方向
Ｚ  厚さ方向
Ｘ  操作方向
【図１】
0005857217.tif 000002
【図２】
0005857217.tif 000003
【図３】
0005857217.tif 000004